(57)【特許請求の範囲】
【請求項１】
バストを被覆するカップ部を有する衣類であって、
前記バストを被覆する一対のカップ部と、
前記一対のカップ部の脇側にそれぞれ接続し、着用者の脇を被覆し、伸縮性を有する部材で形成される一対のバック部と、
前記一対のバック部に接続する調節部と、
前記カップ部に接続するとともに、着用者の肩の稜線を超えて配設され、着用者の背面で前記バック部に接続する一対のストラップ部を備え、
前記調節部は、前記バック部よりも強いパワーを有し、前記パワーで前記バック部の張りを調節し、
前記ストラップ部は、前記バック部の下辺まで延伸して形成され、
前記ストラップ部は、前記バック部の後端に沿って、前記バック部の後端および前記調整部に重ねて形成され、
前記バック部の上端は、前記調整部の上端よりも上方に形成される
ことを特徴とするカップ部を有する衣類。
【請求項２】
前記一対のバック部の各後端は、略平行に形成され、
前記ストラップ部は、前記バック部の後端に亘って重ねて形成される
ことを特徴とする請求項１に記載のカップ部を有する衣類。
【請求項３】
前記バック部は、シート状の部材で形成され、
前記バック部の上辺に、前記シート状の部材が折り返される折り返し部が形成され、
前記折り返し部において、前記シート状の部材が縫着されないワサの状態が形成され、
前記バック部の下辺で、前記シート状の部材の前記折り返し部の他端側が縫着される
ことを特徴とする請求項１または２に記載のカップ部を有する衣類。
【発明の詳細な説明】
【技術分野】
【０００１】
本発明は、バストを被覆するカップ部を有する衣類に関する。
【背景技術】
【０００２】
一般的に、着用者の背面においてストラップがＵ字形状に配設されるブラジャーがある（特許文献１の図１および図３（ｃ）参照）。
【０００３】
このようなブラジャーにおいてストラップは、背中心からバック布の上端を経由して肩にかけて緩やかにカーブしながら、バック布の上端に沿わせて縫着されるので、ストラップが肩の稜線のより肩先に近い位置で当接する。従って、一対のストラップは、互いに離れた位置に配設されるので、背中の開いたアウターへの影響を抑制することが可能となる。
【０００４】
また、ストラップがＵ字形状に配設されるブラジャーは、バック布の脇部分の位置を高く形成することができるので、バック布で脇肉を押さえ、着用者の脇近傍のラインを整えることが可能となる。
【先行技術文献】
【特許文献】
【０００５】
【特許文献１】特開２００８−１２７６９２号公報
【発明の概要】
【発明が解決しようとする課題】
【０００６】
しかしながら、ストラップがＵ字形状に配設されるブラジャーにおいてストラップは、肩の稜線の肩先近傍位置で当接するので、ストラップがずり落ちやすく、着用感が損なわれ、着用者が煩わしさを感じる場合がある。ストラップがずり落ちないように一対のストラップを近づけた位置に配設しようとする場合、テープ状のストラップを、背中心からバック布の上端において急なカーブを形成するように縫着する必要があり、縫着技術を要し、生産性が低くなる場合がある。
【０００７】
このように、ストラップがＵ字形状に配設されるブラジャーにおいて、着用感、ストラップの縫着時の生産性などを考慮すると、デザインが制限され、デザインの自由度が低い問題があった。
【０００８】
従って本発明の目的は、デザインの自由度が高いカップ部を有する衣類を提供することである。
【課題を解決するための手段】
【０００９】
上記課題を解決するために、本発明の特徴は、バストを被覆するカップ部を有する衣類に関する。本発明の特徴に係るカップ部を有する衣類は、バストを被覆する一対のカップ部と、一対のカップ部の脇側にそれぞれ接続し、着用者の脇を被覆し、伸縮性を有する部材で形成される一対のバック部と、一対のバック部に接続する調節部と、カップ部に接続するとともに、着用者の肩の稜線を超えて配設され、着用者の背面でバック部に接続する一対のストラップ部を備える。調節部は、バック部よりも強いパワーを有し、このパワーでバック部の張りを調節する。ストラップ部は、バック部の下辺まで延伸して形成される。
【００１０】
ここで、一対のバック部の各後端は、略平行に形成され、ストラップ部は、バック部の後端に亘って重ねて形成されても良い。
【００１１】
さらに、バック部は、シート状の部材で形成され、バック部の上辺に、シート状の部材が折り返される折り返し部が形成され、折り返し部において、シート状の部材が縫着されないワサの状態が形成され、バック部の下辺で、シート状の部材の折り返し部の他端側が縫着されても良い。
【発明の効果】
【００１２】
本発明によれば、デザインの自由度が高いカップ部を有する衣類を提供することができる。
【図面の簡単な説明】
【００１３】
【図１】本発明の実施の形態に係るブラジャーを着用した状態の背面図である。
【図２】本発明の実施の形態に係るブラジャーのバック部、調節部およびストラップ部を説明する図である。
【図３】本発明の実施の形態に係るブラジャーのバック部を説明する図であって、図３（ａ）はバック部の断面斜視図であって、図３（ｂ）は断面図である。
【図４】本発明の実施の形態に係るブラジャーにおけるストラップ部の配設位置と調節部を説明する図である。
【図５】本発明の実施の形態に係るブラジャーにおけるストラップ部の配設位置を説明する図である。
【図６】本発明の第１の変形例に係るブラジャーの調節部を説明する図である。
【図７】本発明の第２の変形例に係るブラジャーを着用した状態の背面図であって、図７（ａ）は、調節部が単一の部材で形成されるブラジャーを示し、図７（ｂ）は、調節部が長さ調節機能を有するブラジャーを示す。
【発明を実施するための形態】
【００１４】
次に、図面を参照して、本発明の実施の形態を説明する。以下の図面の記載において、同一または類似の部分には同一または類似の符号を付している。
【００１５】
図１を参照して、本発明の実施の形態に係るブラジャー１を説明する。ブラジャー１は、カップ部（図示せず）、バック部３、調節部４、ストラップ部５および係止部６を備える。カップ部、バック部３、調節部４およびストラップ部５は、左右対称に設けられる。
【００１６】
カップ部は、着用者の前面に設けられ、着用者のバストを被覆する。カップ部の上側はストラップ部５に接続し、カップ部の脇側はバック部３に接続する。カップ部は、ストラップ部５およびバック部３と直接的に接続しても良いし、他の部材を介して間接的に接続しても良い。本発明の実施の形態においてカップ部の形状は問わない。
【００１７】
バック部３は、一対のカップ部の脇側にそれぞれ接続し、着用者の脇ないし背中を被覆する。バック部３は、伸縮性を有する部材で形成される。バック部３は、着用者の周方向（図１の左右方向）に良く伸びるように配設される。バック部３の高さは任意に設定される。
【００１８】
調節部４は、一対のバック部３にそれぞれ接続する。調節部４は、バック部３よりも強いパワーを有し、伸長した際の戻る力（緊迫力またはキックバック）の大きい部材で形成される。調節部４は、着用者の周方向（図１の左右方向）で緊迫力が大きくなるように配設される。
【００１９】
ストラップ部５は、伸縮ないし難伸縮性を有し、着用者の前面でカップ部に接続するとともに、着用者の肩の稜線を超えて配設され、着用者の背面でバック部３に接続する。ストラップ部５は、肩の稜線からカップ部を引き上げ、バストの保形に寄与する。ストラップ部５は、エイト鐶（図示せず）等により、長さを調節可能に形成されても良い。
【００２０】
係止部６は、一対の調節部４の背中心側に、それぞれ接続する。係止部６は、１段の雌カンが設けられる雌カン部６１と、１段の雄カンが設けられる雄カン部６２を備え、背中心で着脱可能に形成される。雌カン部６１は、１段の雌カンが、２列以上設けられても良い。
【００２１】
（バック部）
バック部３は、図１に示すように、着用者の脇ないし背の脇側を被覆するように配設される。バック部３は、伸縮性を有する素材で形成される、バック部３の素材としては、例えば、パワーネット、トリコット、ストレッチレースなどが考えられる。
【００２２】
バック部３の周方向の緊迫力は、３０ｃＮから１５０ｃＮ程度の素材が好ましい。バック部３を折り返し等により素材を二重とする場合は、緊迫力が３０ｃＮから８０ｃＮ程度の素材がより好ましく、素材を一重とする場合は、緊迫力が８０ｃＮから１５０ｃＮ程度の素材がより好ましい。ここで、緊迫力は、試験片を定速伸長形引張試験機に取り付け、３００ｍｍ／分程度の速度で長手方向の伸長回復を複数回繰り返し、伸び率が３０％に回復した際の荷重である。試験片は、１６０ｍｍ×２５ｍｍであって、試験片は、上部つかみ２５ｍｍ、下部つかみ３５ｍｍおよびつかみ間隔１００ｍｍで、定速伸長形引張試験機に取り付けられる。
【００２３】
バック部３の周方向の伸び率は、１００％から２００％程度の素材が好ましい。ここで、この伸び率は、伸長回復性で用いた試験片と同様の試験片を、伸長回復性の試験と同様に定速伸長形引張試験機に取り付け、試験片を周方向に加重９．８Ｎをかけて測定されたものである。
【００２４】
バック部３は、着用時に滑らかに伸びて、着用者の脇ないし背にフィットして配設される。バック部３は、バストの脇から背中の脇側近傍の肉にフィットして、押圧することにより、バストの脇側のラインを整えることを可能とする。
【００２５】
本発明の実施の形態においてストラップ部５は、図１および図２に示すように、従来のストラップがＵ字形状に配設されるブラジャーと異なり、ほぼ垂直に形成される。またストラップ部をバック部の上端に沿わせて縫着する必要もない。従ってバック部３は、任意の高さに形成することが可能である。バック部３は、図１に示す高さよりも低く形成されても良いし、脇の付け根を超えない範囲で、図１に示す高さよりも高く形成されても良い。
【００２６】
一対のバック部３の各後端（背中心側）は、図２に示すように平置き状態で略平行に形成され、図１に示すように着用状態で、略平行ないし逆ハの字形状に形成される。またバック部３の後端の辺に亘って、ストラップ部５が重なるように形成される。
【００２７】
バック部３は、図３に示すように、シート状の部材で形成され、バック部３の上辺３１に、シート状の部材が折り返される折り返し部が形成される。この折り返し部（上辺３１）において、シート状の部材が縫着されないワサの状態が形成され、バック部３の下辺３２で、シート状の部材の折り返し部の他端側が縫着される。また、バック部３の下辺３２の外側（着用者側の反対側）に、テープ状の伸縮性を有するレース３３が、装飾のために配設される。
【００２８】
これにより、本発明の実施の形態に係るバック部３は、上辺３１がワサの状態で形成されるので、肌当たりがよく、快適な着用感が得られる。また、上辺３１および下辺３２において、ゴムテープなどによる端処理を用いないことにより、楽な着用感を実現する。
【００２９】
本発明の実施の形態に係るバック部３は、上辺３１がワサの状態で形成される場合を説明したが、これに限られない。一般的なバック部であっても良いし、一般的なバック部よりも柔らかく、緊迫力が弱くなるように形成されても良い。
【００３０】
（調節部）
調節部４は、一対のバック部３の背中心側（カップ部の反対方向）にそれぞれ連結する一対の部材により形成される。調節部４を形成する一対の部材に、着脱可能な一対の係止部６ａおよび６ｂがそれぞれ接続し、着脱可能に形成される。本発明の実施の形態において調節部４は、バック部３の着用者（皮膚）側に配設されて縫着される場合を説明するが、これに限るものではない。
【００３１】
図２に示すように、バック部３と調節部４との境界に沿って、ストラップ部５が設けられるので、一対の調節部４とストラップ部５とが、凵字状を形成する。またバック部３は調節部４よりも高い、任意の高さに設計されるので、バック部３と調節部４により、階段形状を形成する。これによりブラジャー１は、脇肉を押さえる効果と、任意の位置にストラップ部５を形成できる効果を両立することができる。また調節部４の下端とバック部３の下端は一致するように形成し、調節部４を低く設計することにより、さらに、背面において上下方向に長く開いたアウターを着用しても、ブラジャー１が見えにくい効果が得られる。
【００３２】
調節部４は、幅２〜５センチ程度のテープ状の部材であって、キックバックの大きい素材で形成される。調節部４の素材としては、例えば、帯状のゴムなどが考えられる。
【００３３】
調節部４の長手方向（周方向）の緊迫力は、２００ｃＮから６００ｃＮ程度の素材が好ましい。ここで、緊迫力は、テープ状の試験片を定速伸長形引張試験機に取り付け、３００ｍｍ／分程度の速度で長手方向の伸長回復を複数回繰り返し、伸び率が３０％に回復した際の荷重である。
【００３４】
調節部４の長手方向（周方向）の伸び率は、４０％から９５％程度の素材が好ましい。ここで、この伸び率は、テープ状の試験片を定速伸長形引張試験機に取り付け、試験片を長手方向に荷重９．８Ｎをかけて測定されたものである。
【００３５】
調節部４は、バック部３よりも強いパワーを有し、このパワーでバック部３の張りを調節する。バック部３は調節部４より伸び率が大きく、調節部４は、バック部３よりもキックバックが大きいので、主にバック部３が着用者のサイズに併せて伸長し、主に調節部４が緊迫力（伸長状態から戻る力）によって、バック部３を調節部４の方向に引っ張る。バック部３は、調節部４の緊迫力により張られた状態で、着用者の脇ないし背の肉を押圧し、着用者の皮膚にフィットすることにより、脇ないし背のラインを整える。
【００３６】
本発明の実施の形態において調節部４は、図２に示すように、バック部３の後端で縫着するとともに、バック部３の後端よりも脇側の縫着位置４１において、バック部３と縫着するように形成されることが好ましい。本発明の実施の形態においてバック部３は、調節部４に比べて滑らかに伸縮する部材で形成され、調節部４により引っ張られる。周方向の異なる複数の位置で調節部４とバック部３とを縫着することにより、バック部３の縫着位置における負荷を軽減し、バック部３の強度を保つことができる。
【００３７】
本発明の実施の形態のバック部３は、上辺３１にワサが設けられ、上辺３１および下辺３２においてゴムテープなどによる端処理がなされていないので、一般的なブラジャーのバック部と比べて緊迫力が弱い。そこで本発明の実施の形態のブラジャー１は、緊迫力の強い調節部４により、ブラジャー１の周方向全体の緊迫力を調節して、ブラジャー１が安定して着用者に配設されるように構成される。
【００３８】
従って、調節部４の長さは、ブラジャー１の全周において求められる緊迫力の大きさと、ブラジャー１の調節部４以外が実現する緊迫力とから、調節部４の素材特性も考慮して、適宜決定される。換言すると調節部４は、ストラップ部５の位置の影響を受けないように形成することが可能となる。
【００３９】
具体的には、図４および図５に示すように、上述したブラジャー１と、このブラジャー１よりも距離ａだけストラップが脇側に配設されるブラジャー１ａを考える。図４に示すように、ブラジャー１のストラップ部５と縫着位置４１との距離ｄ１は、ブラジャー１ａのストラップ部５ａと縫着位置４１ａとの距離ｄ２よりも大きくなるように形成される。しかしながら、図５に示すように、着用者に対する調節部４および４ａの位置は、ブラジャー１とブラジャー１ａとで変わらない。これは、調節部４の長さは、ブラジャー１の周方向全体の所望の緊迫力を実現するように設定されるので、ストラップ部の位置に影響を受けないからである。
【００４０】
従って、本発明の実施の形態によれば、調節部４の長さが決定されると、ストラップ部５を中心側に設けたり、脇側に設けたりするなど、デザインの自由度が高い。また、ストラップ部５は、直線状に配設されるので、高い縫着技術を必要とせず、生産性が向上する。さらに、バック部３に緊迫力の弱い素材を用いることができたり、バック部３を任意の高さに設計できたりする点でも、デザインの自由度が高く、所望の機能に柔軟に対応することを可能とする。
【００４１】
なお、調節部４の所望の緊迫力を実現するために、調節部４の素材を変更したり、調節部４の長さ（周方向の長さ）または幅（上下方向の長さ）を変更したりしても良い。また、調節部４の脇側の端部と、バック部３の背中心側の端部と、ストラップ部５との縫着位置が一致するように形成されても良い。このとき、調節部４の端部が、ストラップ部５よりも肌側に配設されても良い。
【００４２】
（ストラップ部）
ストラップ部５は、伸縮ないし難伸縮性を有するテープ状の素材であって、肩の稜線を支点として、カップ部を引き上げる。
【００４３】
ストラップ部５の長手方向の伸び率は、１０％から７０％程度の素材が好ましい。ここで、この伸び率は、テープ状の試験片を定速伸長形引張試験機に取り付け、試験片を長手方向に荷重９．８Ｎをかけて測定されたものである。
【００４４】
本発明の実施の形態に係るストラップ部５は、バック部３の下辺３２まで延伸して形成される。バック部３の下辺３２は、着用者の胴体に安定して配設されるので、ストラップ部５が安定して配設され、カップ部の引き上げ力を実現することができる。またバック部３の緊締力に依存することなくストラップ部５の安定性を実現することができるので、バック部３に柔らかい素材を用いることも可能とする。
【００４５】
またストラップ部５は、バック部３の後端に沿って配設され、バック部３の後端の全長に亘って形成される。バック部３とストラップ部５が重なる後端の全長部分またはほぼ全長部分において、バック部３とストラップ部５とが縫着されるように形成されても良い。バック部３の上辺３１近傍のみでストラップ部５とバック部３が重なり縫着される場合と比べて、図２等に示すバック部３とストラップ部５は、より長い部分において重なり縫着される。これによりバック部３の縫着位置における負荷を軽減し、バック部３の強度を保つことができる。
【００４６】
このように本発明の実施の形態に係るブラジャー１は、調節部４によりブラジャー１の周方向の緊迫力を調節することができるので、バック部３の素材や形状、ストラップ部５の位置などを自由に設計することができる。
【００４７】
具体的には、調節部４はバック部３よりもパワーが強くなるように形成されるので、調節部４のキックバックにより、バック部３を引っ張って、バック部３の被覆部分のラインを整えることができる。これにより、バック部３に緊迫力が弱く柔らかい部材を用いることが可能になるので、バック部３の楽な着け心地とバック部３の補整効果を両立することができる。
【００４８】
また、調節部４によりブラジャー１の周方向の緊迫力が調節されるので、バック部３のみならず、カップ部の下に設けられる土台部分などにおいて緊迫力の弱い部材を用いることができる。これにより、ブラジャー１の下辺全体において、良好な肌当たりと、楽な着け心地を実現することができる。また調節部４は、背面中心近傍に設けられるところ、背面中心における肌当たりは気になりにくいので、調節部４でパワーの強い部材を用いても、ブラジャー１の着け心地に影響を与えにくい。
【００４９】
さらに、ストラップ部５が背面において直線状に配設される。従って、バック部３の周方向の長さを適宜設定することにより、ストラップ部５を背中心側に寄せたり、肩先側に設けて離したりするなど、ストラップ部５の位置を適宜設定することが可能となる。また、バック部３が被覆する脇ないし背の領域の位置や面積を、適宜設定することも可能になる。
【００５０】
（第１の変形例）
本発明の実施の形態において係止部６は、１段の雌カンが設けられる雌カン部６１と、１段の雄カンが設けられる雄カン部６２を備え、背中心で着脱可能に形成される場合を説明したが、これに限られない。
【００５１】
例えば、図６に示すブラジャー１ｂのように、係止部６ｂは、２段の雌カンが設けられる雌カン部６１ｂと、２段の雄カンが設けられる雄カン部６２ｂを備えても良い。さらに、係止部６ｂの雌カンおよび雄カンが、３段以上設けられても良い。雌カンおよび雄カンの段数を増やすことで、係止部６ｂを外れにくくしたり、バック部３や調節部４ｂのずり上がりを防いだり、ボリュームの大きいバストに適用したりすることができる。
【００５２】
また第１の変形例においても、雌カン部６１ｂは、雌カンを２列以上設けても良い。このように、雌カンの列数を増やすことにより、一つのブラジャーで幅広いサイズに適用することができる。
【００５３】
（第２の変形例）
本発明の実施の形態において、調節部４が一対の部材で形成され、係止部６によって着脱可能に形成される場合を説明したが、これに限られない。
【００５４】
例えば、図７（ａ）に示すブラジャー１ｃのように、調節部４が単一の部材で形成され、調節部４の両端が、一対のバック部３にそれぞれ接続するように形成されても良い。この場合、ブラジャー１ｃは、いわゆるフロントホックブラジャーであって、前面に係止部を備えても良い。あるいは、ブラジャー１ｃは、係止部を備えず、調節部４ｃの伸縮により着用者が脱ぎ着できるように形成されても良い。
【００５５】
さらに、図７（ｂ）に示すブラジャー１ｄのように、調節部４ｄは係止部を備えず、エイト鐶４１ｄおよび４２ｄなどにより、調節部４ｄの長さを調節可能に形成されても良い。図７（ｂ）に示すブラジャー１ｄは、調節部４ｄの長さ調節機能により、着用者が脱ぎ着できるように形成されても良い。あるいはブラジャー１ｄは、いわゆるフロントホックブラジャーであって、前面に係止部を備え、調節部４ｄで長さを調節し、または前面の係止部により、着用者が脱ぎ着できるように形成されても良い。
【００５６】
（その他の実施の形態）
上記のように、本発明の実施の形態とその第１ないし第２の変形例によって記載したが、この開示の一部をなす論述および図面はこの発明を限定するものであると理解すべきではない。この開示から当業者には様々な代替実施の形態、実施例および運用技術が明らかとなる。
【００５７】
例えば、本発明の実施の形態において、バストを被覆するカップ部を有する衣類は、ブラジャーの場合を説明したが、カップ部を有するキャミソール等の下着に応用されても良い。また、本発明の実施の形態において説明した素材例や、伸び率や緊迫力のデータは、一例であって、これに限るものではない。
【００５８】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００５９】
１  ブラジャー
３  バック部
４  調節部
５  ストラップ部
６  係止部
３１  上辺
３２  下辺
３３  レース
４１  縫着位置
６１  雌カン部
６２  雄カン部
【図１】
0006638336.tif 000002
【図２】
0006638336.tif 000003
【図３】
0006638336.tif 000004
【図４】
0006638336.tif 000005
【図５】
0006638336.tif 000006
【図６】
0006638336.tif 000007
【図７】
0006638336.tif 000008